(57)【特許請求の範囲】
【請求項１】
第１止具及び第２止具からなる分割止輪を、所定の軸に取り付けるための分割止輪用工具であって、
第１止具に係合するための第１係合部と、
前記第１係合部に対向するように配置され、第２止具に係合するための第２係合部と、
一端部側に前記第１係合部が設けられた第１操作部と、
一端部側に前記第２係合部が設けられ、他端部側が前記第１操作部の他端部側に接近及び離隔されることにより、前記第２係合部を前記第１係合部に接近及び離隔させる第２操作部と、
を備え、
前記第１係合部は、
第１止具の一端部側を第１止具の外側から挟み込むための第１爪部と、
第１止具の他端部側を第１止具の外側から挟み込むための第２爪部と、
を備え、
前記第２係合部は、
第２止具の一端部側を第２止具の外側から挟み込むための第３爪部と、
第２止具の他端部側を第２止具の外側から挟み込むための第４爪部と、
を備えた分割止輪用工具。
【請求項２】
前記第１操作部の他端部側と前記第２操作部の他端部側とが所定距離まで接近することにより、前記第１係合部の前記第１爪部及び前記第２爪部によって保持された第１止具と前記第２係合部の前記第３爪部及び前記第４爪部によって保持された第２止具とが環状に連結されることを特徴とする請求項１に記載の分割止輪用工具。
【請求項３】
前記第１係合部は、一端部が前記第１操作部の一端部に設けられ、
前記第２係合部は、一端部が前記第２操作部の一端部に設けられ、他端部が前記第１係合部の他端部に回転自在に設けられた
ことを特徴とする請求項１又は請求項２に記載の分割止輪用工具。
【請求項４】
前記第１係合部の他端部に設けられ、軸に取り付けられている分割止輪の第３止具に係合するための第３係合部と、
前記第２係合部の他端部に設けられ、前記第３係合部に対向するように配置され、軸に取り付けられている分割止輪の第４止具に係合するための第４係合部と、
を備え、
前記第３係合部及び前記第４係合部は、分割止輪を軸から取り外すために使用され、
前記第３係合部は、
第３止具の一端部側を第３止具の外側から挟み込むための第５爪部と、
第３止具の他端部側を第３止具の外側から挟み込むための第６爪部と、
を備え、
前記第４係合部は、
第４止具の中間部に対して第４止具の外側から接触するための第７爪部と、
を備え、
前記第４係合部は、前記第１操作部の他端部側と前記第２操作部の他端部側とが接近及び離隔することにより、前記第３係合部に接近及び離隔する
ことを特徴とする請求項３に記載の分割止輪用工具。
【請求項５】
前記第７爪部は、第４止具の中間部を第４止具の外側から挟み込むことを特徴とする請求項４に記載の分割止輪用工具。
【請求項６】
前記第１係合部は、一端部が前記第１操作部の一端部に設けられ、
前記第２係合部は、一端部が前記第２操作部の一端部に設けられ、
前記第２操作部は、一端部が前記第１操作部の一端部に回転自在に設けられた
ことを特徴とする請求項１又は請求項２に記載の分割止輪用工具。
【請求項７】
第１止具及び第２止具からなる分割止輪を、所定の軸から取り外すための分割止輪用工具であって、
第１止具に係合するための第１係合部と、
前記第１係合部に対向するように配置され、第２止具に係合するための第２係合部と、
一端部側に前記第１係合部が設けられた第１操作部と、
一端部側に前記第２係合部が設けられ、他端部側が前記第１操作部の他端部側に接近及び離隔されることにより、前記第２係合部を前記第１係合部に接近及び離隔させる第２操作部と、
を備え、
前記第１係合部は、
第１止具の一端部側を第１止具の外側から挟み込むための第１爪部と、
第１止具の他端部側を第１止具の外側から挟み込むための第２爪部と、
を備え、
前記第２係合部は、
第２止具の中間部に対して第２止具の外側から接触するための第３爪部と、
を備えた分割止輪用工具。
【請求項８】
前記第３爪部は、第２止具の中間部を第２止具の外側から挟み込むことを特徴とする請求項７に記載の分割止輪用工具。
【発明の詳細な説明】
【技術分野】
【０００１】
この発明は、所定の軸に分割止輪を取り付けたり、軸から分割止輪を取り外したりするための分割止輪用工具に関するものである。
【背景技術】
【０００２】
下記特許文献１には、所定の軸にＥ形止輪を取り付けるための工具が開示されている。
止輪には、特許文献１に記載されたＥ形止輪の他にも、例えば、分割止輪がある。この分割止輪は、例えば、エスカレーターのステップを取り付ける軸（ステップ軸）にも使用されている。
【０００３】
図１はエスカレーターのステップ軸を示す図、図２は図１に示すＡ−Ａ矢視図、図３はステップ軸に取り付けられている状態の分割止輪を示す図、図４は分割止輪を個々のパーツに分解した状態を示す図である。図１乃至図４において、１はエスカレーターのステップ軸、２はステップ軸１に設けられた駆動ローラ、３は分割止輪である。
【０００４】
従来では、分割止輪３をステップ軸１に取り付ける場合、ウォーターポンププライヤー等を使用していた。また、分割止輪３の交換等を行う場合は、ハンマーとノッカーとを使用して、分割止輪３をステップ軸１から取り外していた。
【先行技術文献】
【特許文献】
【０００５】
【特許文献１】特開２００５−３３４９９５号公報
【発明の概要】
【発明が解決しようとする課題】
【０００６】
分割止輪３は、結合力が非常に強い。このため、上記従来の方法によって分割止輪３の取り付け及び取り外しを行う場合は、その作業に長時間が必要になり、作業性が極めて悪いといった問題があった。特に、作業員の経験が浅い場合や分割止輪３の取り付け箇所が多い場合は、その作業に多大な労力と時間とが必要になってしまう。
【０００７】
なお、このような問題は、エスカレーターのステップ軸１に分割止輪３を取り付けたり、ステップ軸１から分割止輪３を取り外したりする場合だけでなく、所定の軸に分割止輪３を着脱する他の場合にも同様に発生してしまう。
【０００８】
この発明は、上述のような課題を解決するためになされたもので、その目的は、分割止輪の取り付け、或いは、取り外しを容易に実施することができる分割止輪用工具を提供することである。
【課題を解決するための手段】
【０００９】
この発明に係る分割止輪用工具は、第１止具及び第２止具からなる分割止輪を、所定の軸に取り付けるための分割止輪用工具であって、第１止具に係合するための第１係合部と、第１係合部に対向するように配置され、第２止具に係合するための第２係合部と、一端部側に第１係合部が設けられた第１操作部と、一端部側に第２係合部が設けられ、他端部側が第１操作部の他端部側に接近及び離隔されることにより、第２係合部を第１係合部に接近及び離隔させる第２操作部と、を備え、第１係合部は、第１止具の一端部側を第１止具の外側から挟み込むための第１爪部と、第１止具の他端部側を第１止具の外側から挟み込むための第２爪部と、を備え、第２係合部は、第２止具の一端部側を第２止具の外側から挟み込むための第３爪部と、第２止具の他端部側を第２止具の外側から挟み込むための第４爪部と、を備えたものである。
【００１０】
また、この発明に係る分割止輪用工具は、第１止具及び第２止具からなる分割止輪を、所定の軸から取り外すための分割止輪用工具であって、第１止具に係合するための第１係合部と、第１係合部に対向するように配置され、第２止具に係合するための第２係合部と、一端部側に第１係合部が設けられた第１操作部と、一端部側に第２係合部が設けられ、他端部側が第１操作部の他端部側に接近及び離隔されることにより、第２係合部を第１係合部に接近及び離隔させる第２操作部と、を備え、第１係合部は、第１止具の一端部側を第１止具の外側から挟み込むための第１爪部と、第１止具の他端部側を第１止具の外側から挟み込むための第２爪部と、を備え、第２係合部は、第２止具の中間部に対して第２止具の外側から接触するための第３爪部と、を備えたものである。
【発明の効果】
【００１１】
この発明に係る分割止輪用工具を使用することにより、分割止輪の取り付け、或いは、取り外しを容易に実施することができるようになる。
【図面の簡単な説明】
【００１２】
【図１】エスカレーターのステップ軸を示す図である。
【図２】図１に示すＡ−Ａ矢視図である。
【図３】ステップ軸に取り付けられている状態の分割止輪を示す図である。
【図４】分割止輪を個々のパーツに分解した状態を示す図である。
【図５】この発明の実施の形態１における分割止輪用工具を示す図である。
【図６】図５に示す分割止輪用工具の使用方法を説明するための図である。
【図７】図５に示す分割止輪用工具の使用方法を説明するための図である。
【図８】図５に示す分割止輪用工具の使用方法を説明するための図である。
【発明を実施するための形態】
【００１３】
この発明をより詳細に説明するため、添付の図面に従ってこれを説明する。なお、各図中、同一又は相当する部分には同一の符号を付しており、その重複説明は適宜に簡略化ないし省略する。
【００１４】
実施の形態１．
図１はこの発明の実施の形態１における分割止輪用工具を示す図である。本工具は、所定の軸（例えば、エスカレーターのステップ軸１）に分割止輪３を取り付けたり、軸から分割止輪３を取り外したりするためのものである。
本工具の具体的な説明を行う前に、図１乃至図４を参照し、分割止輪３の構成について説明する。
【００１５】
分割止輪３は、同じ形状を呈する一対の止具４及び５から構成される。止具４は、円弧状を呈する所定の板状部材からなる。止具４は、一端部に鉤部４ａが、他端部に受け部４ｂが設けられている。止具４と同じ形状を呈する止具５にも、一端部に鉤部５ａが、他端部に受け部５ｂが設けられている。止具４及び５は、鉤部４ａが受け部５ｂに、鉤部５ａが受け部４ｂに掛けられることにより、全体として環状に連結され、かかる状態でステップ軸１等に取り付けられる（図２及び３参照）。
【００１６】
なお、以下においては、止具４及び５を環状に連結した時の状態を基準に、止具４及び５について外側、内側と表現する。
【００１７】
上記構成の分割止輪３を軸に着脱するための本工具は、係合部６乃至９、操作部１０及び１１により、その要部が構成される。
【００１８】
係合部６及び７は、分割止輪３を軸に取り付ける際に使用する部分である。分割止輪３の取り付け作業時、係合部６は一方の止具４に係合し、係合部７は他方の止具５に係合する。係合部６及び７は、止具４及び５よりも一回り大きな弓状を呈しており、互いに対向するように配置されている。
【００１９】
係合部６には、所定の間隔を有して２つの爪部６ａ及び６ｂが設けられている。爪部６ａ及び６ｂは、係合部７側に向かって突出した部分からなる。爪部６ａ及び６ｂには、各中央部にスリット（図示せず）が一直線状に形成されている。このスリット内に止具４を押し込むことにより、爪部６ａ及び６ｂの双方によって止具４を保持することができる。
【００２０】
係合部７は、係合部６と同様の構成を有している。即ち、係合部７には、所定の間隔を有して２つの爪部７ａ及び７ｂが設けられている。爪部７ａ及び７ｂは、係合部６側に向かって突出した部分からなる。爪部７ａ及び７ｂには、各中央部にスリット（図示せず）が一直線状に形成されている。このスリット内に止具５を押し込むことにより、爪部７ａ及び７ｂの双方によって止具５を保持することができる。
【００２１】
操作部１０及び１１は、分割止輪３の着脱を行う作業者が把持する部分を構成する。
操作部１０及び１１は、例えば、棒状部材からなる。操作部１０は、その一端部が係合部６の一端部に設けられている。操作部１１は、その一端部が係合部７の一端部に設けられている。また、係合部６の他端部と係合部７の他端部とは、軸１２により、所定の角度内で回転自在となるように固定されている。このため、作業者が操作部１０及び１１を握り締めると、操作部１１の他端部側が操作部１０の他端部側に接近して、係合部７が係合部６に接近するように移動する。反対に、操作部１１の他端部側を操作部１０の他端部側から離隔させると、係合部７が係合部６から離隔するように移動する。
【００２２】
係合部８及び９は、既に軸に取り付けられている分割止輪３を取り外す際に使用する部分である。分割止輪３の取り外し作業時、係合部８は分割止輪３の一方の止具４に係合し、係合部９は他方の止具５に係合する。係合部８は、止具４よりも一回り大きな弓状を、係合部９は、止具５よりも短い弓状を呈している。係合部８及び９は、互いに対向するように配置されている。
【００２３】
係合部８には、所定の間隔を有して２つの爪部８ａ及び８ｂが設けられている。爪部８ａ及び８ｂは、係合部９側に向かって突出した部分からなる。爪部８ａ及び８ｂには、各中央部にスリット（図示せず）が一直線状に形成されている。このスリット内に止具４を押し込むことにより、爪部８ａ及び８ｂの双方によって止具４を保持することができる。
【００２４】
係合部９には、その先端部に１つの爪部９ａが設けられている。爪部９ａは、係合部８側に向かって突出した部分からなる。爪部９ａには、その中央部にスリット（図示せず）が一直線状に形成されている。このスリット内に止具５を押し込むことにより、爪部９ａによって止具５を保持することができる。
【００２５】
本工具では、分割止輪３の取り外しも、操作部１０及び１１を操作して行う。このため、係合部８及び９は、係合部６及び７と同様に、操作部１０の他端部側と操作部１１の他端部側とが接近及び離隔することにより、接近及び離隔するように構成されている。
【００２６】
具体的に、係合部８は、その一端部（先端部とは反対側の端部）が係合部６の他端部に設けられている。係合部９は、その一端部（先端部とは反対側の端部）が係合部７の他端部に設けられている。そして、係合部６及び８からなる部分と係合部７及び９からなる部分とが、軸１２を中心にクロスするように配置されている。
【００２７】
なお、本実施の形態では、係合部６及び８、操作部１０が一体的に、係合部７及び９、操作部１１が一体的に構成されている場合を一例として示している。
【００２８】
次に、図６乃至図８も参照し、上記構成を有する分割止輪用工具を使用して分割止輪３を軸に着脱する時の動作について説明する。図６乃至図８は図５に示す分割止輪用工具の使用方法を説明するための図である。
【００２９】
本工具を使用して分割止輪３を軸に取り付ける作業は、以下のように行われる（図６及び図７参照）。
先ず、本工具の係合部６に一方の止具４を、係合部７に他方の止具５を保持させる。具体的には、止具４の一端部を爪部６ａのスリット内に押し込み、爪部６ａによって、止具４の一端部を止具４の外側から挟み込む。同時に、止具４の他端部を爪部６ｂのスリット内に押し込み、爪部６ｂによって、止具４の他端部を止具４の外側から挟み込む。また、止具５の一端部を爪部７ａのスリット内に押し込み、爪部７ａによって、止具５の一端部を止具５の外側から挟み込む。同時に、止具５の他端部を爪部７ｂのスリット内に押し込み、爪部７ｂによって、止具５の他端部を止具５の外側から挟み込む。
【００３０】
止具４を爪部６ａ及び６ｂにより、止具５を爪部７ａ及び７ｂにより適切に保持すると、止具４及び５は同一平面上に配置される。そして、止具４の他端部側と止具５の一端部側とを開口させ、止具４の鉤部４ａを止具５の受け部５ｂに掛止させておく。
【００３１】
次に、係合部６及び７に保持された止具４及び５の間に軸を配置し、操作部１０及び１１を握り締める。止具４及び５は、一部が軸に接触した後も、係合部６及び７に押されることによって接近するように移動する。そして、操作部１０の他端部側と操作部１１の他端部側とが所定の距離まで接近すると、止具５の鉤部５ａが止具４の受け部４ｂに掛かり、止具４及び５が環状に連結される（図７）。これにより、止具４及び５は、分割止輪３として軸に強固に固定される。
【００３２】
一方、本工具を使用して、装着済みの分割止輪３を軸から取り外す作業は、以下のように行われる（図８参照）。
先ず、軸に取り付けられている分割止輪３の一方の止具４に、係合部８を適切に装着する。具体的には、係合部８の爪部８ａ（のスリット部分）を止具４の一端部に押し付け、爪部８ａによって、止具４の一端部を止具４の外側から挟み込む。同時に、係合部８の爪部８ｂ（のスリット部分）を止具４の他端部に押し付け、爪部８ｂによって、止具４の他端部を止具４の外側から挟み込む。
【００３３】
爪部８ａによって止具４の一端部側を、爪部８ｂによって止具４の他端部側を適切に挟み込むことにより、係合部９の爪部９ａが、止具５の中間部に対して止具５の外側から接触するように配置される。
【００３４】
係合部８を止具４に適切に装着した後、先ず、爪部９ａを止具５の中間部に押し付け、爪部９ａによって、止具５の中間部を止具５の外側から挟み込む。次に、操作部１０及び１１を強く握り締め、爪部９ａによって止具５の中間部を軸の中心方向に押し付ける。止具５（及び４）は、その中間部の内側部分が凹状にへこみ、中間部の強度が他の部分よりも弱い。このため、爪部９ａを止具５の中間部に強く押し付けることにより、止具５の鉤部５ａが止具４の受け部４ｂから（或いは、止具４の鉤部４ａが止具５の受け部５ｂから）外れ、止具４及び５を軸から取り外すことができる。
【００３５】
本構成の分割止輪用工具であれば、作業員の経験等に関わらず、分割止輪３の取り付け、及び、取り外しを容易に行うことができる。このため、分割止輪３の取り付け時及び取り外し時の作業性を向上させることができ、その作業時間を大幅に短縮させることができる。
【００３６】
また、分割止輪３の取り付け時には爪部６ａ及び６ｂ、７ａ及び７ｂにより、取り外し時には爪部８ａ及び８ｂ、９ａにより、止具４及び５を保持することができるため、作業中に止具４及び５を落下させてしまう恐れもない。
【００３７】
なお、本工具は、分割止輪３の取り付け部分の位置と取り外し部分の位置とを逆にしても、同様の機能が実現できることは言うまでもない。かかる場合、例えば、本工具の係合部６及び７の位置に係合部８及び９が、係合部８及び９の位置に係合部６及び７が配置される。
【００３８】
また、本実施の形態では、分割止輪３の取り付け及び取り外しの双方の作業を１つの工具で行う場合について説明した。しかし、本工具は、分割止輪３を取り付ける専用工具と、分割止輪３を取り外す専用工具とに分けても良い。かかる場合、取り付け専用の工具は、例えば、本工具の係合部８及び９が存在しないものでも良いし、係合部６の一端部を操作部１０の一端部に、係合部７の一端部を操作部１１の一端部に設け、操作部１０及び１１の各一端部を軸１２によって回転自在に固定したものでも良い。取り外し専用の工具についても同様である。
【符号の説明】
【００３９】
１  ステップ軸
２  駆動ローラ
３  分割止輪
４、５  止具
４ａ、５ａ  鉤部
４ｂ、５ｂ  受け部
６、７、８、９  係合部
６ａ、６ｂ、７ａ、７ｂ、８ａ、８ｂ、９ａ  爪部
１０、１１  操作部
１２  軸
【図１】
0005541200.tif 000002
【図２】
0005541200.tif 000003
【図３】
0005541200.tif 000004
【図４】
0005541200.tif 000005
【図５】
0005541200.tif 000006
【図６】
0005541200.tif 000007
【図７】
0005541200.tif 000008
【図８】
0005541200.tif 000009